(57)【要約】  シャワーヘッド、工業用噴霧ヘッドおよび農業用噴霧ヘッドの少なくとも１つにおいて使用するための噴霧ヘッドまたは噴霧ヘッド用挿入物（１）が提供され、該噴霧ヘッドまたは噴霧ヘッド用挿入物は、複数のノズル群（２）を備えており、各ノズル群（２）が、噴霧ヘッドまたは噴霧ヘッド用挿入物（１）の表面から流体のジェットを噴出させるために適したノズルを少なくとも２つ有しており、該少なくとも２つのノズルは、少なくとも使用時において、加圧下で少なくとも２つの該ノズルから出た流体が、周囲の構造に事実上妨げられることなく衝突および相互作用し、液滴へと分解するような寸法および配向を備えている。
2007500595.tif 000002
【特許請求の範囲】
【請求項１】
噴霧ヘッド、または、シャワーヘッド、工業用噴霧ヘッドおよび農業用噴霧ヘッドの少なくとも１つにおいて使用するための噴霧ヘッド用挿入物であって、
複数のノズル群を備えており、
各ノズル群が、噴霧ヘッドまたは噴霧ヘッド用挿入物の表面から流体のジェットを噴出させるために適したノズルを少なくとも２つ有しており、該少なくとも２つのノズルが、少なくとも使用時において、圧力の下で該少なくとも２つのノズルから出た流体が、周囲の構造に事実上妨げられることなく衝突および相互作用し、液滴へと分解するような寸法および配向になっていることを特徴とする噴霧ヘッドまたは噴霧ヘッド用挿入物。
【請求項２】
前記少なくとも２つのノズルが、約４０°〜１４０°の間の開先角度で配向していることを特徴とする請求項１に記載の噴霧ヘッドまたは噴霧ヘッド用挿入物。
【請求項３】
前記少なくとも２つのノズルが、約７０°〜８５°の間の開先角度で配向していることを特徴とする請求項１に記載の噴霧ヘッドまたは噴霧ヘッド用挿入物。
【請求項４】
前記複数のノズル群の少なくとも１つが、使用時に該選択されたノズル群における仮想の線であって噴霧ヘッドまたは噴霧ヘッド用挿入物の表面に対する法線である線に沿った方向以外の方向に噴霧を供給するために、非対称であることを特徴とする請求項１〜３のいずれか一項に記載の噴霧ヘッドまたは噴霧ヘッド用挿入物。
【請求項５】
前記複数のノズル群の少なくとも１つにおいて、前記少なくとも２つのノズルが、使用時に当該ノズル群における仮想の線であって、噴霧ヘッドまたは噴霧ヘッド用挿入物の表面に対する法線である線に沿った方向以外の方向に噴霧を供給するために、該仮想の線に対して異なる角度で配向していることを特徴とする請求項１〜３のいずれか一項に記載の噴霧ヘッドまたは噴霧ヘッド用挿入物。
【請求項６】
前記複数のノズル群の前記少なくとも１つが、断面積の相違するノズルを有していることを特徴とする請求項４または５に記載の噴霧ヘッドまたは噴霧ヘッド用挿入物。
【請求項７】
噴霧ヘッドまたは噴霧ヘッド用挿入物の１つ以上の所定の領域に配置された対称であるノズル群、および、噴霧ヘッドまたは噴霧ヘッド用挿入物の１つ以上の他の所定の領域に配置された非対称であるノズル群、を含んでいることを特徴とする請求項４に記載の噴霧ヘッドまたは噴霧ヘッド用挿入物。
【請求項８】
噴霧ヘッドの周辺付近に配置されたノズル群が、当該ノズル群を出る噴霧が当該ノズル群を出た後に噴霧ヘッドの中心から離れるように移動するよう構成されていることを特徴とする請求項７に記載の噴霧ヘッドまたは噴霧ヘッド用挿入物。
【請求項９】
前記ノズル群が、非平面の基体に配置されていることを特徴とする請求項１〜８のいずれか一項に記載の噴霧ヘッドまたは噴霧ヘッド用挿入物。
【請求項１０】
少なくとも選択されたノズル群が、圧力の下で該少なくとも選択されたノズル群のノズルから出た流体が、１００％未満の交差で衝突するよう構成されていることを特徴とする請求項１〜９のいずれか一項に記載の噴霧ヘッドまたは噴霧ヘッド用挿入物。
【請求項１１】
噴霧ヘッドまたは噴霧ヘッド用挿入物の全てのノズル群から出た流体が、圧力の下で、１００％未満の交差で衝突することを特徴とする請求項１０に記載の噴霧ヘッドまたは噴霧ヘッド用挿入物。
【請求項１２】
前記交差の割合が、約２０％〜８０％の間であることを特徴とする請求項１０または１１に記載の噴霧ヘッドまたは噴霧ヘッド用挿入物。
【請求項１３】
前記交差の割合が、約４０％〜５０％の間であることを特徴とする請求項１０または１１に記載の噴霧ヘッドまたは噴霧ヘッド用挿入物。
【請求項１４】
各ノズル群のノズルの出口開口の直径が、約０．８〜１．０ｍｍの間であることを特徴とする請求項１３に記載の噴霧ヘッドまたは噴霧ヘッド用挿入物。
【請求項１５】
各ノズル群のノズルの出口開口の中心が、約１．５ｍｍ離されていることを特徴とする請求項１４に記載の噴霧ヘッドまたは噴霧ヘッド用挿入物。
【請求項１６】
ノズル出口直径の寸法が相違する少なくとも２つの種類のノズル群を含んでおり、より大きいノズル出口直径を有するノズル群が、より小さい出口直径を有するノズル群よりも小さい交差率を有していることを特徴とする請求項１０〜１５のいずれか一項に記載の噴霧ヘッドまたは噴霧ヘッド用挿入物。
【請求項１７】
各ノズル群のノズルが、少なくとも部分的に、可撓性材料または弾性材料に形成された開口によって形成されていることを特徴とする前記請求項のいずれか一項に記載の噴霧ヘッドまたは噴霧ヘッド用挿入物。
【請求項１８】
前記開口を形成している前記可撓性材料または弾性材料が、噴霧ヘッドの表面から突き出ていることを特徴とする請求項１７に記載の噴霧ヘッドまたは噴霧ヘッド用挿入物。
【請求項１９】
各ノズル群が２つのノズルで構成されていることを特徴とする前記請求項のいずれか一項に記載の噴霧ヘッドまたは噴霧ヘッド用挿入物。
【請求項２０】
少なくとも選択されたノズル群のノズルの入口および出口が、お互いに対してずらされていることを特徴とする請求項１９に記載の噴霧ヘッドまたは噴霧ヘッド用挿入物。
【請求項２１】
前記ノズルの入口および出口が、流体が前記少なくとも選択されたノズル群から、当該ノズル群における仮想の線であって噴霧ヘッドまたは噴霧ヘッド用挿入物の表面に対する法線である線に対し約６〜８°の間の角度で噴出するようにずらされていることを特徴とする請求項２０に記載の噴霧ヘッドまたは噴霧ヘッド用挿入物。
【請求項２２】
各ノズル群が、一体となって間に各ノズルのための流体流路を規定する１つ以上の開口および相補的な１つ以上の突起によって形成されていることを特徴とする前記請求項のいずれか一項に記載の噴霧ヘッドまたは噴霧ヘッド用挿入物。
【請求項２３】
各ノズル群が、２つの開口および相補的な突起によって形成され、該突起が前記各開口の盲板（ｂｌａｎｋ）として機能して当該ノズル群のノズルから噴出するジェットの開先角度を増加させることを特徴とする請求項２２に記載の噴霧ヘッドまたは噴霧ヘッド用挿入物。
【請求項２４】
各開口が、事実上円錐形であることを特徴とする請求項２２または２３に記載の噴霧ヘッドまたは噴霧ヘッド用挿入物。
【請求項２５】
噴霧ヘッドまたは噴霧ヘッド用挿入物によって生成される噴霧の特性を制御できるよう、前記突起が前記開口に対して可動であることを特徴とする請求項２２〜２４のいずれか一項に記載の噴霧ヘッドまたは噴霧ヘッド用挿入物。
【請求項２６】
複数のノズル群についての前記突起が全て、ただ１つの基体材料に形成されていることを特徴とする請求項２２〜２５のいずれか一項に記載の噴霧ヘッドまたは噴霧ヘッド用挿入物。
【請求項２７】
複数のノズル群についての前記開口が全て、ただ１つの基体材料に形成されていることを特徴とする請求項２５に記載の噴霧ヘッドまたは噴霧ヘッド用挿入物。
【請求項２８】
清掃のため、前記突起および前記開口の表面へのアクセスができるように、前記突起を、それらが対応している開口から取り除くことができることを特徴とする請求項２２〜２７のいずれか一項に記載の噴霧ヘッドまたは噴霧ヘッド用挿入物。
【請求項２９】
各ノズル群のノズルが、前記開口および前記突起の一方または両者の通路または溝によって形成されていることを特徴とする請求項２２〜２８のいずれか一項に記載の噴霧ヘッドまたは噴霧ヘッド用挿入物。
【請求項３０】
使用時に各ノズルにおいて乱流流体流を生むような寸法および形状とされていることを特徴とする請求項１〜２９のいずれか一項に記載の噴霧ヘッドまたは噴霧ヘッド用挿入物。
【請求項３１】
各ノズルが、前記乱流を生むための少なくとも１つの邪魔板を備えていることを特徴とする請求項３０に記載の噴霧ヘッドまたは噴霧ヘッド用挿入物。
【請求項３２】
シャワーヘッドを構成する噴霧ヘッドの一部を構成することを特徴とする前記請求項のいずれか一項に記載の噴霧ヘッドまたは噴霧ヘッド用挿入物。
【請求項３３】
シャワー、工業用プロセスまたは農業用プロセスの少なくとも１つにおいて、流体の液滴によって形成される流体噴霧を生成する方法であって、
互いに近接して位置する複数のノズル群であって、それぞれが少なくとも２つのノズルを有しており、少なくとも２つの該ノズルが、各ノズル群のノズルを出た流体が、周囲の構造に事実上妨げられることなく衝突および相互作用して、その後に液滴へと分解するようにお互いに対して配置されているノズル群に、流体を通過させることを含んでいることを特徴とする方法。
【請求項３４】
前記ノズル群に、約４０°〜１４０°の間の開先角度を有するように配向したノズルを設けることを含んでいることを特徴とする請求項３３に記載の方法。
【請求項３５】
前記ノズル群に、約７０°〜８５°の間の開先角度を有するように配向したノズルを設けることを含んでいることを特徴とする請求項３３に記載の方法。
【請求項３６】
選択されたノズル群から所定の角度で噴霧を供給するために、少なくとも選択された非対称であるノズル群に流体を通過させることを含んでいることを特徴とする請求項３３〜３５のいずれか一項に記載の方法。
【請求項３７】
各ノズル群が、２つのノズルから構成されていることを特徴とする請求項３３〜３６のいずれか一項に記載の方法。
【請求項３８】
各ノズルを通って流体の乱流を通過させることを含んでいることを特徴とする請求項３３〜３７のいずれか一項に記載の方法。
【請求項３９】
各ノズル群のノズルを出る流体を、１００％未満の交差で衝突するように導くことを含んでいることを特徴とする請求項３３〜３８のいずれか一項に記載の方法。
【請求項４０】
前記交差の割合が、約２０％〜８０％の間であることを特徴とする請求項３９に記載の方法。
【請求項４１】
前記交差の割合が、約４０％〜５０％の間であることを特徴とする請求項３９に記載の方法。
【請求項４２】
シャワーヘッドに適用されることを特徴とする請求項３３〜４１のいずれか一項に記載の方法。
【請求項４３】
添付の図面を参照して本願明細書にて事実上説明した実施態様のいずれか１つによることを特徴とする噴霧ヘッドまたは噴霧ヘッド用挿入物。
【請求項４４】
請求項３３に記載され、本願明細書にて事実上説明されていることを特徴とする流体噴霧の生成方法。
【発明の詳細な説明】
【技術分野】
【０００１】
本発明は、流体の噴霧を生成するための噴霧ヘッドに関し、特にシャワーヘッドへの適用が可能である。
【背景技術】
【０００２】
流体の噴霧を生成するため、様々な噴霧ヘッドが開発されている。噴霧ヘッドは、農業用および工業用の他、最も典型的には家庭用のシャワーであるが、家庭用としても使用されており、より楽しいシャワー体験を提供すべく様々なシャワーヘッドの設計が提案されている。
【０００３】
既存のいくつかのシャワーヘッドには、変化する流体供給圧力に適切に協働することができないという問題がある。このため、異なるいくつかの圧力を有するシステムに取り付けられた同じシャワーヘッドが、大きく異なる噴霧特性をもたらすことがあり、それらのいくつかは満足できないものである。こうした問題が、特有の高圧用ヘッドおよび低圧用ヘッドを設計することにつながっている。しかしながら、幅広い範囲のシステム圧力にわたって満足できるシャワー体験をもたらすことができるシャワーヘッドがあれば、有用であり、少なくとも便利である。
【０００４】
水の節約も、重要な検討事項である。低流量のシャワーヘッドによって、水の節約がもたらされる。しかしながら、ユーザーは、しばしば大流量のシャワーヘッドの感覚を好むものである。従って、供給する流量が少ないながらも大流量のシャワーの感覚をもたらすシャワーヘッドへのニーズが存在する。
【０００５】
さらに、今までに存在するシャワーヘッドを超える優れたシャワー体験をもたらすシャワーヘッドへの需要も存在するであろう。
【発明の開示】
【発明が解決しようとする課題】
【０００６】
従って、本発明の目的は、現在の噴霧ヘッドにおける問題の１つ以上を克服または軽減する噴霧ヘッドを提供することにあり、および／または既存のシャワーヘッドに対する改善をもたらす噴霧ヘッドを提供することにあり、あるいは少なくとも公衆に有用な代替物を提供することにある。
【課題を解決するための手段】
【０００７】
本発明の第１の態様によれば、シャワーヘッド、工業用噴霧ヘッドおよび農業用噴霧ヘッドの少なくとも１つにおいて使用するための噴霧ヘッドまたは噴霧ヘッド用挿入物であって、複数のノズル群を備えており、各ノズル群が、噴霧ヘッドまたは噴霧ヘッド用挿入物の表面から流体のジェットを噴出するために適したノズルを少なくとも２つ有しており、少なくとも２つの該ノズルが、少なくとも使用時において、加圧下で少なくとも２つの該ノズルから出た流体が、周囲の構造に事実上妨げられることなく衝突および相互作用し、液滴へと分解するような寸法および配向となっている噴霧ヘッドまたは噴霧ヘッド用挿入物が提供される。
【０００８】
好ましくは、前記少なくとも２つのノズルを、約４０°〜１４０°の間の開先角度（ｉｎｃｌｕｄｅｄ  ａｎｇｌｅ）で配向させることができる。さらに好ましくは、前記少なくとも２つのノズルを、約７０°〜８５°の間の開先角度で配向させることができる。
【０００９】
好ましくは、前記複数のノズル群の少なくとも１つを、使用時に該選択されたノズル群における仮想の線であって噴霧ヘッドまたは噴霧ヘッド用挿入物の表面に対する法線である線に沿った方向以外の方向に噴霧を供給するように、非対称とすることができる。
【００１０】
好ましくは、前記複数のノズル群の少なくとも１つにおいて、前記少なくとも２つのノズルを、使用時に当該ノズル群における仮想の線であって噴霧ヘッドまたは噴霧ヘッド用挿入物の表面に対する法線である線に沿った方向以外の方向に噴霧を供給するように、該仮想の線に対して異なる角度で配向させることができる。
【００１１】
好ましくは、前記複数のノズル群の前記少なくとも１つが、断面積の相違するノズルを有している。
【００１２】
好ましくは、噴霧ヘッドまたは噴霧ヘッド用挿入物が、噴霧ヘッドまたは噴霧ヘッド用挿入物の１つ以上の所定の領域に配置された対称であるノズル群、および噴霧ヘッドまたは噴霧ヘッド用挿入物の１つ以上の他の所定の領域に配置された非対称であるノズル群を備えることができる。
【００１３】
好ましくは、噴霧ヘッドの周辺付近に配置されたノズル群を、当該ノズル群を出る噴霧が当該ノズル群を出た後に噴霧ヘッドの中心から離れるように移動するよう構成することができる。
【００１４】
一実施態様として、前記ノズル群は、非平面の基体に配置することができる。
【００１５】
好ましくは、少なくとも選択されたノズル群を、加圧下で少なくとも選択された該ノズル群のノズルから出る流体が、１００％未満の交差率で衝突するように構成することができる。一実施態様においては、噴霧ヘッドまたは噴霧ヘッド用挿入物の全てのノズル群から出る流体が、加圧下で、１００％未満の交差率で衝突する。前記交差の割合は、約２０％〜８０％の間であってよく、さらに好ましくは、約４０％〜５０％の間であってよい。
【００１６】
好ましくは、各ノズル群のノズルの出口開口の直径が、約０．８〜１．０ｍｍの間であるとよい。
【００１７】
好ましくは、各ノズル群のノズルの出口開口の中心が、約１．５ｍｍ離れているとよい。
【００１８】
一実施態様においては、噴霧ヘッドまたは噴霧ヘッド用挿入物が、ノズル出口直径の寸法が相違する少なくとも２つの種類のノズル群を備えることができ、より大きいノズル出口直径を有するノズル群が、より小さい出口直径を有するノズル群よりも小さい交差率を有している。
【００１９】
好ましくは、各ノズル群のノズルを、少なくとも部分的に、可撓性材料または弾性材料に形成された開口によって形成することができる。前記開口を形成している前記可撓性材料または弾性材料は、噴霧ヘッドの表面から突き出していてもよい。
【００２０】
好ましくは、各ノズル群を２つのノズルから構成することができる。
【００２１】
好ましくは、少なくとも選択されたノズル群のノズルの入口および出口を、お互いに対してずらすことができる。前記ノズルの入口および出口を、流体が前記少なくとも選択されたノズル群から、当該ノズル群における仮想の線であって噴霧ヘッドまたは噴霧ヘッド用挿入物の表面に対する法線である線に対し約６〜８°の間の角度で噴出するようにずらすことができる。
【００２２】
好ましくは、各ノズル群が、一体となって間に各ノズルのための流体流路を規定する１つ以上の開口および相補的な１つ以上の突起によって形成される。各ノズル群を、２つの開口および相補的な突起によって形成し、該突起が前記各開口の栓として機能して当該ノズル群のノズルから噴出するジェットの開先角度を増加させるようにできる。
【００２３】
各開口は、事実上円錐形であってよい。噴霧ヘッドまたは噴霧ヘッド用挿入物によって生成される噴霧の特性を制御できるよう、前記突起が前記開口に対して可動であってよい。
【００２４】
好ましくは、複数のノズル群についての前記突起が全て、ただ１つの基体材料に形成されている。複数のノズル群についての前記開口を全て、ただ１つの基体材料に形成することができる。
【００２５】
好ましくは、清掃のために、前記突起および前記開口の表面へのアクセスができるように、前記突起を、それらが対応している開口から取り除くことができる。
【００２６】
好ましくは、各ノズル群のノズルを、前記開口および前記突起の一方または両方の通路または溝によって形成することができる。
【００２７】
好ましくは、噴霧ヘッドまたは噴霧ヘッド用挿入物を、使用時に各ノズルにおいて流体の乱流を生むような寸法および形状とすることができる。各ノズルは、前記流体の乱流を生むための少なくとも１つの邪魔板を備えることができる。
【００２８】
本発明の噴霧ヘッドまたは噴霧ヘッド用挿入物は、シャワーヘッドを構成する噴霧ヘッドの一部を構成するとき、特に好都合である。
【００２９】
本発明の第２の実施態様によれば、シャワー、工業用プロセス、または農業用プロセスの少なくとも１つにおいて、流体の液滴によって形成される流体噴霧を生成する方法であって、互いに近接して位置する複数のノズル群であって、それぞれが少なくとも２つのノズルを有しており、少なくとも２つの該ノズルが、各ノズル群のノズルを出た流体が、周囲の構造に事実上妨げられることなく衝突および相互作用して、その後に液滴へと分解するようにお互いに対して配置されているノズル群に流体を通過させることを含んでいる方法が提供される。
【００３０】
好ましくは、前記方法は、前記ノズル群に約４０°〜１４０°の間の開先角度を有するように配向したノズルを設けることを含むことができる。
【００３１】
好ましくは、前記方法は、前記ノズル群に約７０°〜８５°の間の開先角度を有するように配向したノズルを設けることを含むことができる。
【００３２】
好ましくは、前記方法は、選択されたノズル群から所定の角度で噴霧を提供するように、少なくとも選択された非対称であるノズル群に流体を通過させることを含むことができる。
【００３３】
好ましくは、各ノズル群を２つのノズルから構成することができる。
【００３４】
好ましくは、前記方法が、各ノズルを通って流体の乱流を通過させることを含むことができる。
【００３５】
好ましくは、前記方法は、各ノズル群のノズルを出る流体を１００％未満の交差率で衝突するように導くことを含むことができる。
【００３６】
好ましくは、前記交差の割合を約２０％〜８０％の間とすることができる。
【００３７】
好ましくは、前記交差の割合を約４０％〜５０％の間とすることができる。
【００３８】
本発明の方法は、シャワーヘッドに好ましく適用することができる。
【００３９】
本発明のさらなる態様は、添付の図面を参照しつつあくまで好ましい実施態様の一例として与えられる以下の説明から明らかになるであろう。
【発明を実施するための最良の形態】
【００４０】
本発明は、シャワーヘッドに関し、特に家庭用シャワーのシャワーヘッドとしての使用に好適である。本発明によるシャワーヘッドは、ユーザーにとっての良質なシャワー体験、シャワーヘッドが実際に供給している流量よりも大流量の感覚、および／または幅広い範囲の供給圧力にわたっての良質なシャワー体験といった利点をもたらすことができる。
【００４１】
添付図面の図１を参照すると、本発明の第１の実施態様による噴霧ヘッド用挿入物が示されており、全体が矢印１００で示されている。噴霧ヘッド用挿入物１００は、シャワーヘッドという特定の用途を有することができ、シャワーヘッドとしての使用に特に適しているという利点を有するが、本発明の用途がシャワーヘッドのみに限られるわけではない。例えば、本発明の噴霧ヘッドは、塗料や接着剤の塗布といった工業的処理の用途を有していてもよく、および／または除草剤や殺虫剤の散布といった農業用の用途を有していてもよい。本発明が、多数のジェットからなる噴霧ではなく、穏やかな噴霧が求められる用途を有していてもよいことは、予想できるであろう。噴霧ヘッド１００は、事故発生直後のやけどの被災者の処置のための緊急シャワーとして使用することが可能である。
【００４２】
図３は、基部１０に設けられ、第１および第２のノズル２４、２５から出た２つの流体ジェットの集中によって得られる水のパターンを示している。水は、最初に火炎のような形状Ｆを形成し、次いで小さな液滴Ｒへと分解する。これらの液滴Ｒによって、優れたシャワー体験を提供することができ、および／または或る種の工業用途または農業用途に適した噴霧を供給することができる。さらに、本発明の噴霧ヘッドは、供給圧力の変動によって引き起こされる液滴噴霧の変化が、同じ供給圧力変動によって引き起こされるジェット水の変化に比べてより知覚されにくいため、供給圧力の変動を自己補填する能力を本質的に備えている。
【００４３】
好ましい実施態様は、各ノズル群にノズルを２つだけ有しているが、各ノズル群が３つ以上のノズルを任意に備えていてもよい。ノズル群中の選択されたノズルを順次部分的または完全に開放および閉鎖する回転可能円板を、スプレー・ヘッド１００の背後に設けた場合、脈動効果を実現することができ、あるいは各ノズル群からの噴霧の方向を変化させることができる。
【００４４】
以下でさらに詳細に説明するとおり、ノズル群のシャワーヘッド全体にわたっての特定の配置、各ノズル群におけるノズルの数および配置、ならびにノズルの寸法および向きは、噴霧ヘッドの特定の用途における要件に応じて変化させることができる。
【００４５】
図１に示した噴霧ヘッド用挿入物１００は、この実施態様では４５群のノズルが配置されてなる基体１を有している。基体１の表面形状は、平面であってよく、あるいは所望の噴霧パターンの提供を助けるため凸状などの平面でない形状を任意に含んでいてもよい。基体１は、図１に示すとおり環状であってよく、あるいは、例えば矩形など何らかの他の形状を有していてもよく、プラスチック、ゴム、あるいは適切な金属または金属合金など、任意の適切な材料から構成することができる。
【００４６】
この実施態様においては、ノズルの各群は、２つのノズルから構成されている。分かりやすくするため、図１においては、２つのノズル群のみに参照番号が付されており、すなわちノズル群２ａおよび２ｂである。ノズル群は、噴霧ヘッド用挿入物１００の全体に分布しており、破線で図示された４つの円弧で構成され、噴霧ヘッド用挿入物１００の中心から等距離の位置にある５つのグループの交点に配置されている。図１に示すように、各ノズル群は、一方のノズルが当該ノズル群の他方のノズルのほぼ半径方向外側に位置するように配置することができる。各ノズルは、必ずしもその必要はないが、円形の断面を有することができる。本発明の一実施態様においては、基体１の単純な孔によってノズルを構成することができる。
【００４７】
噴霧ヘッド用挿入物１００の中心に、噴霧ヘッド１００に水圧が加えられたときに脈動噴霧を生成するマッサージ・ユニット３を備えてもよい。マッサージ・ユニットは広く知られており、従ってマッサージ・ユニット３の動作や実装については、ここではこれ以上説明しない。あるいは、噴霧ヘッド用挿入物１００の中央を固定してもよく、基体１と一体にしてもよい。噴霧ヘッド用挿入物の中央は、必ずしもノズル群無しである必要はない。
【００４８】
使用時、噴霧ヘッド用挿入物１００は、通常は、一体となって噴霧ヘッドを構成するハウジング（図示されていない）に取り付けられ、周囲において密封される。あるいは、噴霧ヘッド用挿入物１００をハウジングと一体に形成してもよい。ハウジングは、流体供給源からハウジングへと流体が移動することができる流体通路を備えており、あるいはそのような流体通路に接続されている。流体通路は、噴霧ヘッド用挿入物１００の背後に水溜めＷ（図３を参照）を形成するような形状とされている。
【００４９】
噴霧ヘッド用挿入物１００は、射出成型プロセスによって製作することができ、ノズルは、成型プロセス後に金型から抜き取られるピンによって形成することができる。
【００５０】
ノズル群の幾何形状を変えることにより、ノズル群を出るときの噴霧の移動方向を制御することができる。例えば、或る直径Ｄの外側にあるノズル群２ｂなどのノズル群は、半径方向外向きの成分を有する噴霧をノズルから吐出することができ、一方、直径Ｄの内側にあるノズル群２ａなどのノズルは、噴霧ヘッド用挿入物１００にほぼ直交する軸に沿って噴霧を導くことができる。ノズルの特性を変えることによって実現できるこの噴霧方向の変化は、ノズルが配置される基体１の表面の形状を変える代わりとして、あるいはこれに加えて、使用することができる。
【００５１】
図２Ａを参照すると、ノズル群２ａの概略の断面図が示されている。ノズル群２ａは、間隔Ｓで隔てられた第１および第２のノズル２０、２１を備えている。Ｓはゼロであってもよいが、本願出願人は、Ｓがノズルの直径の少なくとも半分であると好都合であることを見出した。一般的に、ノズル群のノズル間の最大間隔は、シャワーヘッドにおいてノズル群が他のノズル群のノズルからの流れと衝突することなく占めることができる空間の大きさに制約される。さらに、ノズル間の間隔が大きくなるにつれ、ノズルによって生成されるジェットの方向のばらつきが許容されにくくなる。両方のノズル２０、２１は、シャワーヘッド用挿入物１００に直交する軸に対して同じ角度ψ１を向いており、ノズル群２ａおよび２ｂに中心を置く直交軸は、図２Ａおよび２Ｂにおいて直線ＡＡで示されている。角度ψ１は、２５°であれば適当であり、従ってノズル２０および２１は、お互いに対して５０°で配向している（すなわち、５０°の開先角度を有している）。さらに好ましくは、角度ψ１は３５°でよく、開先角度は７０°になる。各ノズルは、自身の長手軸に沿って０．８ｍｍの直径ｄ１を有することができる。対称であるというノズル群２ａの性質から、水はノズルから出て直交軸ＡＡの周囲をＷ１で示されている方向に導かれる。
【００５２】
図２Ｂは、ノズル群２ｂの断面の図を示している。ノズル群２ｂは、２つのノズル２２および２３を含んでいる。ノズル２３の寸法および直交軸ＡＡに対する向きは、ノズル群２Ａのノズル２１と同じであってよく、その場合、ｄ３＝ｄ１＝０．８ｍｍであり、ψ３＝ψ１＝３５°である。ノズル２２は、例えば約０．９ｍｍまたは１ｍｍの直径など、より大きな直径ｄ２を有してよく、および／または直交軸ＡＡに対してより大きい角度ψ２で配向してよい。角度ψ２は、例えば４０°でよい。従って、非対称であるというノズル群２ｂの性質から、ノズル群２ｂを出る水は、ほぼ矢印Ｗ２で示された方向に導かれる。必要であれば、選択されたいくつかのノズル群が、ノズル群を出る水が方向Ｗ１、Ｗ２に垂直な成分を有するように配向されていてもよい。例えば、図１のノズル群２ａに関して、ノズル群２ａからの水の移動方向は、方向Ｗ３の成分を有していてもよい。これは、ノズルを製作するときに複合角を使用することによって達成される。この場合、ノズルは、自身の入り口および出口をＷ３の方向に沿って異なる位置に有するであろう。組をなしている両方のノズルに同じ複合角が加えられているならば、ジェットが衝突して、この加えられた複合角を有する噴霧が生じるであろう。
【００５３】
ノズル群のノズル間の相互の開先角度は、各ノズルからのジェットの液滴への微細化がそれでも達成できる最小角度と、噴霧ヘッドから離れる所望の噴霧速度を依然もたらすことができる最大角度との間で選択される。ノズル間の開先角度が約４０°〜１４０°の間のどこかであれば、依然として前記要件間の適切なバランスをもたらすことができると考えられる。本発明の噴霧ヘッドは、例えば図１に示したノズルにおいて、例えば２５〜１０００ｋＰａの間で、幅広い圧力範囲にわたって使用可能であると考えられるが、必要があれば、各ノズル群のノズル間の開先角度が異なっている高圧用または低圧用の噴霧ヘッドを製作することも可能である。噴霧ヘッドの各所に、ノズル群を収束の角度を異ならせつつ設けることにより、噴霧ヘッドから離れる速度が噴霧ヘッドの各所において異なっている噴霧を生成することができる。
【００５４】
噴霧ヘッド用挿入物１００に関し、２つの異なる形式のノズル群についてのみ説明および図示したが、ノズル群からの噴霧に求められる他の角度を達成するため、他のノズル群形式を使用でき、１つの噴霧ヘッドが２つ、３つ、またはそれ以上の異なる形式のノズル群を含んでもよいことは、当業者であれば予想できるであろう。ノズルの角度およびノズルの直径の一方または両者を、噴霧方向の変化を実現すべく変えることができる。
【００５５】
ノズル群の分布のパターンを変えることによって、各ノズル群においてノズルの寸法および向きを、お互いに対してかつ噴霧ヘッドの法線の軸に対して変化させることによって、ノズル群間でノズルの向きを変えることによって、さらには、噴霧ヘッドの基体の表面形状を変えることによって、様々な噴霧パターンを実現することができる。さらに、噴霧ヘッドの中心に対するノズル群の向きを、変化させることができる。例えば、長方形の噴霧ヘッドにおいて、全てのノズル群を噴霧ヘッドの長手軸と平行に整列させることができる。
【００５６】
これらの可変要素は全て、特定の噴霧パターンを示す必要がある噴霧ヘッドを設計する際に、使用を検討することができる。前記可変要素を使用して噴霧ヘッドからの噴霧パターンを決定することに加え、同じ可変要素を、噴霧パターンの各所における流体の集中度を制御するためにも使用できる。例えば、噴霧ヘッドを、噴霧パターンの各所において均一な水の集中度をもたらすように製造でき、あるいは、例えば噴霧パターンの中心に噴霧パターンの周辺に比べより集中した流体をもたらす、またはその反対など、或る領域において他の領域に比べ流体をより集中してもたらすように製造できる。
【００５７】
液滴の寸法は、ノズルの出口直径、各ノズル群のノズルの開先角度、および交差率によって影響されうる。交差率とは、或る１つのノズル群のノズルからのジェットが互いに衝突する程度を指している。好ましく整列したノズルは、１００％の交差率を有し、一方、互いに完全に一致しないジェットは、交差率が０％である。
【００５８】
ノズルは、基体１の円柱形の開口によって簡単に形成することができるが、必ずしもそのようである必要はない。例えば、ノズルが、出口付近に絞りを有するような形状とされていてもよい。
【００５９】
本発明の第２の実施態様においては、ノズルを別体の部品とすることができ、噴霧ヘッドの残りの部分と組み合わせることができる。また、ノズルが、基体１に組み合わされる個々のノズルで構成されてもよい。この実施態様の一例が、図４Ａおよび４Ｂに示されている。図４Ａおよび４Ｂには、２つのノズル２６、２７を備えるノズル群２ｃが示されている。ノズル群２ｃは、適切には成型ゴムからなる一体成型の部品であり、反転させられて、噴霧ヘッドの一部を構成する基体１０の開口１１へと挿入される（図４Ｂを参照）。中央の支持部２８が、ノズル２６、２７間の間隔Ｓ１を設定する。ノズル２６、２７および支持部２８は、基体１０の内面に当接する台座２９から延びており、ノズル２６、２７が開口１１を通って押し出されることがないようにしている。複数のノズル群２ｃを、同じ台座２９から延ばすことができ、噴霧ヘッドの全てのノズルを、噴霧ヘッド基体への挿入物を構成する１つの台座に設けることができる。
【００６０】
図４Ｂに示した実施態様の利点は、噴霧ヘッドの製造を容易にできる点にある。また、ノズル２６、２７内に蓄積した破片や水垢を、硬い基体材料に孔を設けてなる形態のノズルに比べ、比較的容易に取り除くことができる。、破片や水垢がノズルを出る流体ジェットの方向を誤らせ、交差率を必要とされる交差率よりも低くしてしまいかねず、あるいは最も極端な場合には、ジェットをお互いに全く交差しないようにしてしまいかねないため、ノズルを清掃できるというこの特徴は本発明の噴霧ノズルにおける利点である。
【００６１】
第３の別の実施態様は、図５に示されており、第１の挿入部材４０および第２の挿入部材４２からなる２つの挿入物を有する噴霧ヘッド１０１が示されている。第１および第２の挿入部材４０、４２は、ハウジング４１内に設けられている。第１の挿入部材４０は、複数の開口４４を有し、これらがハウジング４１に設けられた開口に対応している。第２の挿入部材４２は、複数の突起４６を有しており、使用時に、これら突起４６のそれぞれが、第１の部材４０の開口４４内に位置する。
【００６２】
組み立てられた状態の構成は、図６を参照してより容易に理解することができる。突起４６は、おおむねくさび形を構成するよう先細りであり、一部または全体が円錐状であってよい。対応して先細りまたは円錐状とされた開口４４に、ノズルを構成する２つの通路または溝４８が備えられている。あるいは、開口が円柱形でもよく、さもなくば平行な壁面によって構成されていてもよく、少し異なるジェット特性を生み出すことができる。第１の挿入部材４０を構成する材料は、突起４６と開口４４の側壁との間に適切な封止を実現できるよう、好ましくは、弾力性を有する材料、または柔軟性を有する材料、または伸縮性を有する材料、あるいは同様の材料である。
【００６３】
突起４６の中央部および開口４４は、通路または溝４８に必要とされる断面積を保ちつつ突起４６を開口４４内に適切に位置させる形状とすることができる。これは、特定の噴霧パターンおよび噴霧パターンの各所における特定の流体の集中度を確実に実現および維持するため、重要である。
【００６４】
突起４６の底部４７は、開口４４の出口４５と整列していてよい。あるいは、底部４７が開口４４から突き出していてもよく、図６の例に示すとおり、開口４４内に凹んでいてもよい。また、通路または溝４８の出口は、ハウジング４１と整列していてもよく、ハウジング４１から突き出していてもよく、あるいはハウジング４１内に凹んでいてもよい。底部４７が凹んでいる場合、開口４４およびハウジング４１は、通路または溝４８を出るジェットの衝突によって形成される噴霧パターンの形成を妨げてはいけない。妨げた場合、液滴の噴霧ではなく、炭酸水を生みかねない。同様に、底部４７が凹んでいるか否かにかかわらず、通路または溝４８の出口の外側の領域は、ジェットの衝突によって形成される噴霧パターンの形成を制約することがないよう、障害物がないように保たれなければならない。
【００６５】
この実施態様の利点は、ノズルの形状が製造時の工具によって定められるため、製造条件下において形状がより正確かつ信頼できるものとなり、最終製品において、ノズルからの流体流の衝突に関し、所望の結果がより高い信頼性で達成される点にある。もう１つの利点は、金型内のピンを取り外す必要がなくなる点にある。多数の流路の組をきわめて近接して有している、図１に示したような噴霧ヘッドを製作するために、取り外し式のピンを使用することは、困難である。第１および第２の挿入部材４０、４２は、分離する金型を使用して製作することが可能である。
【００６６】
図７および８の両者は、本発明によるノズル構成の第４および第５の実施態様を示している。図８は分解図である。矢印２００および３００でそれぞれ概略的に示されているこのノズル構成は、前面板６０Ａ、６０Ｂおよび挿入物６１Ａ、６１Ｂから構成され、それぞれ通路６２Ａおよび６２Ｂを形成している。図７および８の両者は、前面板および挿入物について、通路６２Ａおよび６２Ｂの２つの出口穴の中心を通るように眺めた切断図である。
【００６７】
ノズル構成２００の前面板６０Ａは、剛体板６００の後方に組み付けた（あるいは成型した）弾力性または柔軟性または伸縮性を有する材料から構成することができる。従って、通路６２Ａの出口は剛体板６００から突き出すことができ、ユーザーは、通路の壁面の石灰の堆積など、通路６２Ａの堆積物を素早く清掃すべく、こすることができる。
【００６８】
図８を参照すると、前面板６０Ｂが、２つの円錐形の開口６３Ｂおよび６４Ｂを、中央の柱６５Ｂで区画して備えている。挿入物６１Ｂが、２つの円錐形の突起６６Ｂ、６７Ｂを備えており、それぞれ開口６３Ｂおよび６４Ｂの一部分を塞いでいる。円錐形の突起６６Ｂおよび６７Ｂの形状によって、円錐形の突起６６Ｂおよび６７Ｂが設けられていない場合よりも、大きな相対角度で互いに衝突するジェットがもたらされる。円錐形の突起６６Ｂおよび６７Ｂの先端は、頑丈さを増すため丸められていてもよい。さらに、丸められた先端は、適切に配置された場合、通路６２Ｂから噴出するジェットの相対角度を増すことが可能である。図７は、同様の構成を有しているが、わずかに寸法が異なっている。前面板６０Ｂも、柔軟性を有する材料から任意に製作することができ、次いで、図７の前面板６０Ａと同様のやり方で剛体板の背後に組み付けることができる。
【００６９】
本発明の好ましい態様においては、流体通路６２Ａ、６２Ｂの開先角度は７０〜８５°の間であり、出口穴は、１ｍｍの直径および４０％の交差率を有する。出口穴の中心から中心までの距離は、１．５ｍｍとすることができ、円錐穴の垂直長さは、４ｍｍとすることができる。この実施態様のいくつかの変形版は、流体が当該位置における出口表面と直角に流出するように製作できるが、ノズルの構成に複合角を加えることによって、流体が垂直ベクトルを外れた様々な角度で流出するように製作することもできる。本願出願人は、噴霧の寸法および均一性を最適化するため、前面板上のいくつかのノズル群に６〜８°の角度を使用すると好ましいことを見出している。
【００７０】
図９は、前面板６０Ａの切断図を示しており、中央の柱６５Ａによって分離された２つの円錐形の開口６３Ａおよび６４Ａを有している。
【００７１】
図１０は、他の挿入物６１Ｃの図を示しており、１つのノズル群のみが示されている。挿入物６１Ｃは、２つの円錐形の突起６６Ａおよび６７Ａを備えている。これらは、４つのウェブ６８〜７１によって支持されている。５つ目のウェブ７２が、２つの円錐状突起を接続している。ウェブ６８〜７１は、円錐形の突起６６Ａおよび６７Ａを支持するほか、流体流路の邪魔板としても機能する。従って、ウェブ６８〜７１が流れに乱流を作り出し、少なくともノズル構造のいくつかの構成について、これがジェット衝突後の液滴の形成を助けることを、本願出願人は見出している。本願出願人は、ジェット中の層流が、流れの中にフレームＦ（図３を参照）の再結合を生じさせる傾向にあり、一方、ジェット中の乱流が、フレームの液滴への分解を引き起こすものと考えている。従って、流体流路が、別なやり方で乱流を作り出すように設計される場合には、乱流を生むべくウェブまたは他の適切な手段を使用する必要はないかもしれない。図７に示した挿入物６１Ａおよび図８に示した挿入物６１Ｂは、挿入物６１Ｃと同様のやり方で機能するが、形状がいくらか相違している。
【００７２】
図７〜１０に示したノズル構成の利点は、やはり製造の容易さにある。開口６３Ａ、６４Ａ、６３Ｂおよび６４Ｂは、取り外し式ピンの周囲への成型に比べ、比較的容易に形成することができる。さらに、多数の衝突ジェット対を、比較的狭い空間で提供することができる。他の利点は、前面板と挿入物とを分離して、それぞれの表面に触れることができるようにすることができるため、清掃が簡単であるという点にある。図７および１０に示したノズル構成は、挿入物が２つの円錐突起を接続するウェブから強度を得ることができ、より頑丈な挿入物が望まれる場合に好ましいかもしれず、さらに結果として得られる挿入物の製造および組み立てを容易にできる。
【００７３】
前面板の開口は、必ずしも円錐形でなくてもよい。他の実施態様においては、開口が入り口において長方形であり、流体流路に必要な傾斜を生むべく位置する出口穴へと先細りになっていてもよい。挿入物は、長方形の開口について、円錐形の開口についてと同様のやり方で設けられる。
【００７４】
図１１Ａおよび１１Ｂは、挿入物８０の２つの部分を詳細に示している。挿入物８０は、挿入物基部８３から延びた２つの突起８１および８２を有している。２つの開口８４および８５が、挿入物基部８３を通る流体流路をもたらしている。突起８１および８２の両者は、それぞれ８６および８７で示されている通路を備えており、ジェットとして噴出させる前、流体がこれらの通路に沿って移動する。この構成によれば、突起８１および８２が、対応する前面板に設けられた開口の内面に当接でき、通路８６および８７が設けられない場合に比べ、各ノズルを通る流路の断面積により一貫性をもたらすことができる。
【００７５】
各通路が、自身の占有面積を通過する中心線を中心として対称である場合、衝突するジェットからの噴霧は、挿入物基部８３にほぼ直交して噴出するであろう。ノズルは、生じる噴霧の方向を変えるために加えられる複合角を有していてもよい。これは、通路８６および８７を、中心線ＣＣおよびＤＤ（図１１Ｂを参照）を回転の中心として有する平面に一致させることによって実現され、これら平面は、ジェットがノズル出口に存在する交差率と同じ交差率で衝突するため平行でなければならない。複合角は、本願明細書に記載の他の実施態様にも適用することができる。ノズル出口から噴出するジェットは、これらの場合においては、ノズルの入口の穴の中心と出口の穴の中心との間の線と、平行であろう。従って、ジェットの衝突によって作り出される扇の角度を、出口穴に対する入口穴の位置を変えることによって制御することができる。
【００７６】
図１２は、上記の複合角を使用する他の挿入物９０を示している。挿入物９０は、挿入物基部９３から斜めに延びる２つの突起９１および９２を有している。斜めの突起９１および９２を設けることによって、ノズルからの噴霧の発射方向を制御することが可能である。
【００７７】
本願件出願人は、図１１および１２に示した実施態様では、ノズルを通る流体が乱流を生み、乱流を生成するための付加的なウェブが必要ないことを見出している。
【００７８】
図１１Ａおよび１１Ｂの両者は、挿入物８０によって形成され、図１１ＢにＣＣおよびＤＤで示される、ノズルの中心線が完全には一致しておらず、１００％未満の交差率をもたらすことを示している。同様に、挿入物９０によって形成されるノズル（図１２を参照）も、完全には整列していない。本願出願人は、ノズルをほぼ１００％の交差率をもたらすように整列させた場合、液滴に加え微細な噴霧を生成することができることを見出した。微細な噴霧は、液滴によって形成される噴霧領域の外側に存在するかもしれない。この微細な噴霧は、最適な噴霧につながらないかもしれず、シャワーを浴びる者の顔および／または眼を不快にさせるかもしれない。交差率が１００％未満の場合、この微細な噴霧の発生は低減される。交差率は、約２０％〜８０％の範囲にあると好ましい。さらに、交差率を小さくすることによって、図７〜１０に関して説明した実施態様に優れた噴霧特性をもたらすことができるかもしれない。
【００７９】
最も好ましいノズルの実施態様は、図９および１０に示した形態にある。生成される流体通路の開先角度は、約７０〜８５°の間である。出口穴の直径は約１ｍｍであり、４０％の交差率を有している。出口穴の中心から中心までの距離は、約１．５ｍｍである。円錐穴の垂直長さは、約４ｍｍである。この実施態様において、いくつかのノズルは、流体がひとたび衝突した後にシャワーヘッドの軸とほぼ平行に噴出するように製作できるが、好ましい実施態様のいくつかのノズルは、複合角を有することができる。現時点において好ましい複合角は、噴霧ヘッドの垂線から６〜８°の間の噴霧の発射角度を生成する。
【００８０】
他の実施態様においては、交差率を変化させることができ、および／またはノズルの出口直径を変化させることができる。例えば、ノズル群の半分は、出口直径が０．８ｍｍであって交差率が５０％であるノズルであり、残りのノズルは、１ｍｍの出口直径および４０％の交差率を有することができる。１ｍｍおよび０．８ｍｍのノズルは、噴霧ヘッドの各所に均等に分布していてよい。この実施態様においては、本願出願人は、噴霧の中にいる者が感じる感覚に平均的な効果があると考えているが、生成された噴霧は種々の液滴寸法を含むことができる。
【００８１】
図１３は、挿入物６１および前面板６０の全体図を示している。挿入物６１が、前面板６０に組み込まれる。挿入物６１は、図１２においては単一のユニットとして示されているが、別態様として、複数の部品から作り上げてもよい。図１４は、前面板６０の平面図を示している。
【００８２】
一実施態様においては、挿入物６１は前面板６０に対して可動であり、流路の流れの面積を変化させ、すなわちシステムにおける圧力低下を変化させることによって、ユーザーが噴霧の特性を調節することが可能である。さらに、ジェットの衝突角度および流体流中の乱流も変化させることができる。従って、ユーザーが、液滴寸法、集中度および速度、ならびに全噴霧面積などを含む噴霧の品質を調節することができる。
【００８３】
図１５は、ノズルの出口側から見た前面板６０の平面図を示している、図１５に示したノズル・パターンは、シャワーヘッドのために特定された最も好ましいパターンである。全部で３０のノズル群からなるノズル群には３つの同心円が存在する。内側の円は、前面板の軸と直角に噴霧を行ない、中央の円は、直角から６°の角度で半径方向外向きの成分を有して噴霧を行なう。外側の円は、垂線から８°の角度で半径方向外向きの成分を有して噴霧を行なう。ノズルからなる円のそれぞれは、ピッチ角の半分だけ隣の円からずらされており、噴霧の相互の干渉を低減している。全ての穴は、直径１ｍｍの出口を有しており、全てのノズル対は、４０％の交差率を有している。
【００８４】
以上の説明では、本発明の特定の構成部品または完成体について述べたが、それらは公知の均等物を有しており、そのような均等物は、個々にそれぞれ記載されたものとして本願明細書に組み込まれる。
【００８５】
本発明を、具体例およびその可能な実施態様を参照しつつ説明したが、添付の特許請求の範囲に定める本発明の技術的範囲を離れることなく変更または改善が可能であることは、理解できるであろう。
【図面の簡単な説明】
【００８６】
【図１】本発明の第１の実施態様による噴霧ヘッド用挿入物を示す。
【図２Ａ】内側のノズル群について、図１の噴霧ヘッド用挿入物のノズルの相対配向を示す。
【図２Ｂ】外側のノズル群について、図１の噴霧ヘッド用挿入物のノズルの相対配向を示す。
【図３】本発明によるノズル群によって生成される噴霧の概略図を示す。
【図４Ａ】本発明の第２の実施態様による噴霧ヘッドのためのノズル用挿入物を示す。
【図４Ｂ】本発明の第２の実施態様による噴霧ヘッドのためのノズル用挿入物を示す。
【図５】本発明の第３の実施態様によるノズル用挿入物の構成について、ノズル・ハウジングとともに示した組立分解等角図を示す。
【図６】図５のノズル用挿入物の構成の一部の断面図を示す。
【図７】前面板および挿入物によって構成されてなる本発明の第４の実施態様によるノズル構成の切断図を示す。
【図８】前面板および挿入物によって構成されてなる本発明の第５の実施態様によるノズル構成の切断図を示す。
【図９】図７に示したノズル構成の挿入物の切断図を示す。
【図１０】前面板と直交する噴霧を実現し、かつ１００％未満の交差率（本明細書の以下を参照）をもたらすための実現性ある挿入物を示す。
【図１１Ａ】１００％未満の交差率（本願明細書の以下を参照）となる、挿入物の実現性のある構成の斜視図を示す。
【図１１Ｂ】１００％未満の交差率（本願明細書の以下を参照）となる、挿入物の実現性のある構成の平面図を示す。
【図１２】前面板に対して或る角度で噴霧を実現するために複合角を使用する挿入物について、実現性のある構成の斜視図を示す。
【図１３】本発明の第６の実施態様による噴霧ヘッドのノズルの挿入物および前面板ならびに構成についての斜視図を示す。
【図１４】図１３に示した前面板について、ノズルの入口側から見た平面図を示す。
【図１５】図１３に示した前面板について、ノズルの出口側から見た平面図を示す。
【図１】
2007500595.tif 000003
【図２】
2007500595.tif 000004
【図３】
2007500595.tif 000005
【図４】
2007500595.tif 000006
【図５】
2007500595.tif 000007
【図６】
2007500595.tif 000008
【図７】
2007500595.tif 000009
【図８】
2007500595.tif 000010
【図９】
2007500595.tif 000011
【図１０】
2007500595.tif 000012
【図１１Ａ】
2007500595.tif 000013
【図１１Ｂ】
2007500595.tif 000014
【図１２】
2007500595.tif 000015
【図１３】
2007500595.tif 000016
【図１４】
2007500595.tif 000017
【図１５】
2007500595.tif 000018
【国際調査報告】
2007500595.tif 000019
2007500595.tif 000020
2007500595.tif 000021